(57)【要約】【課題】  周辺マット部分において中継用の接続電線を確実に係止させることができて施工が容易にできる床暖房装置の施工構造を提供すること。【解決手段】  長板状の床材下面に配設される複数の床暖房マットに設けられた電熱ヒータに周辺マット１を経由させて電気的に接続し給電する床暖房装置の施工構造である。電熱ヒータへの中継接続用ケーブル３を、可撓性をもったダクト４に挿通させるとともにダクト４を周辺マット１に形成された凹溝２へ嵌着し配設させる。【選択図】図１
2005265357.tif 000002
【特許請求の範囲】
【請求項１】
長板状の床材下面に配設される複数の床暖房マットに設けられた電熱ヒータに周辺マットを経由させて電気的に接続し給電する床暖房装置の施工構造において、
前記電熱ヒータへの中継接続用ケーブルを、可撓性をもったダクトに挿通させるとともに同ダクトを前記周辺マットに形成された凹溝へ嵌着し配設させて成ることを特徴とする床暖房装置の施工構造。
【請求項２】
前記ダクトを断面視略方形で蛇腹状のものとしたことを特徴とする請求項１記載の床暖房装置の施工構造。
【発明の詳細な説明】
【技術分野】
【０００１】
本発明は、表面に木質床材等の表面材を貼った床暖房装置の施工構造に関するものである。
【背景技術】
【０００２】
従来から、電気式の床暖房装置を直貼工法にて施工する場合、例えば特開２００１−１８２９５５号公報に開示されている、図４、５に示すような床暖房マット１００と木質床材のような表面材１０１とを主に用いて、コンクリートスラブのような床下地に直接施工されるようになっている。床暖房マット１００は基材１０２の上に電熱ヒータ１０３が埋設され、電熱ヒータ１０３の上にアルミニウム箔のような金属シートの均熱層１０４が積層されて形成されている。この床暖房マット１００の適所には凹部１０５が設けられており、この凹部１０５に電熱ヒータ１０３への配線用コネクター１０６が配置されている。
【０００３】
上記構成による床暖房装置は、図６（ａ）（ｂ）（ｃ）の手順で施工される。まず、図６（ａ）に示すように床下地１０７の上に複数枚の床暖房マット１００を並べて敷設し、必要に応じて床暖房を必要としない部分に周辺マット１０９を敷設し、次いでコントローラに接続したケーブル１１０とコネクター１０６とを接続し、凹部１０５の上面の開口をアルミニウム板のような金属板の保護板１１１で閉塞し、次いで図７（ｃ）に示すように床暖房マット１００や周辺マット１０８の上に木質床材のような表面材１０１を貼っている。
【０００４】
床暖房装置は上記のように施工されるが、床暖房マット１００の上面に配設される電熱ヒータ１０３へは、上記ケーブル１１０以外にＶＶＦケーブルのような接続電線を、図７（ａ）、（ｂ）に示すような周辺マット１０９の部分に敷設させて中継し給電させる。この接続電線は、周辺マット１０９部分にて屈曲させて設けられるが、周辺マット１０９は床暖房マット１００の横幅と同一寸法であり、また凹溝Ａにおいて接続電線を屈曲させる曲率が比較的小さくなる。したがって、例えば単芯ＶＶＦケーブルのような屈曲させにくい接続電線を用いた場合、その電線が捻れて凹溝Ａから浮き上がることとなり、床暖房マット１００の上面に表面材１０１を設置するに際して手間がかかるという問題がある。（図８参照）
この問題を解決するためには、凹溝Ａの適宜箇所に横向きの突起を形成させ、同突起にて接続電線を狭持させることが考えられる。このようにすると、適切な外形のＶＶＦケーブルが使用されたときには凹溝から浮き上がるのが比較的防止される。しかし、ＶＶＦケーブルの外形寸法が不適切のときにはやはりケーブルが浮き上がったり、反対に設置に際してケーブルに過大な力を加えて配設させる必要が生じ、床暖房装置の施工に手間がかるという問題が想定される。
【特許文献１】特開２００１−１８２９５５号公報
【発明の開示】
【発明が解決しようとする課題】
【０００５】
本願発明は、上記背景技術に鑑みてなされたものであり、その課題は、周辺マット部分において中継用の接続電線を確実に係止させることができて施工が容易にできる床暖房装置の施工構造を提供することである。
【課題を解決するための手段】
【０００６】
上記課題を解決するために、本願発明の床暖房装置の施工構造は、長板状の床材下面に配設される複数の床暖房マットに設けられた電熱ヒータに周辺マットを経由させて電気的に接続し給電する床暖房装置の施工構造において、前記電熱ヒータへの中継接続用ケーブルを、可撓性をもったダクトに挿通させるとともに同ダクトを前記周辺マットに形成された凹溝へ嵌着し配設させて成ることとしている。
【０００７】
そして、前記ダクトを断面視略方形で蛇腹状のものとすることが好ましい。
【発明の効果】
【０００８】
本願発明の床暖房装置の施工構造においては、電熱ヒータに給電させる中継用のケーブルが、可撓性をもったダクトに挿通されて後、そのダクトが周辺マットに形成された凹溝へ嵌着されて周辺マットを経由し電気的に接続するよう配設されるので、確実に中継用のケーブルを周辺マットに係止することが可能であり、以って、床暖房装置の施工が容易となる。
【０００９】
そして、断面視略方形で可撓性をもった蛇腹状のダクトに中継用のケーブルが挿通されて周辺マットに形成された凹溝へ嵌着される場合、蛇腹状のダクトが凹溝へ馴染み、より確実に中継用のケーブルが周辺マットに係止される。
【発明を実施するための最良の形態】
【００１０】
図１〜３は、本願の請求項１、２に対応した一実施形態である床暖房装置の施工構造の要部となる周辺マット部分を示している。この実施形態の床暖房装置の施工構造は、背景技術の項にて説明したものと同じく、床暖房マットと木質床材のような表面材とを主に用いて、コンクリートスラブのような床下地に直接施工される、電気式の床暖房装置を直貼工法にて施工するときに適用可能な構成である。具体的には、床暖房マットの適所に設けられた凹部に配置される配線用コネクターへ、周辺マット１を経由させて電気的に接続し給電する中継接続用ケーブル３を、図１に示すように、可撓性をもったダクト４に挿通させるとともにダクト４を周辺マット１に形成された凹溝２へ嵌着し配設させて成る。
【００１１】
なお、上記床暖房マットは、前述の如く基材の上に電熱ヒータが埋設され、電熱ヒータの上にアルミニウム箔のような金属シートの均熱層が積層されて形成されており、また、上記表面材は長板状の木質材料にて形成されている。
【００１２】
周辺マット１は、上記基材と同じく、防音性のあるものであり、例えば、麻、綿、パーム、合成繊維、バインダーなどからなる繊維マットで、一辺が約１５０ｍｍの略正四角形に形成されている。この周辺マット１は、上層部分と下層部分とで構成されており、上層が硬く、下層が上層に対して軟らかくてクッション性を持たせてある。具体的には、上記繊維ボードの場合、上層のパーム量を多くし、下層のパーム量を少なくして形成することができる。また、この周辺マット１には、四角形の隣り合う２辺の略中央位置どうしを円弧状に結ぶよう一条の凹溝２が形成されており、後述するダクト４を埋設可能なようになっている。
【００１３】
ダクト４は、この場合、図１におけるＸ−Ｘ断面、及びＹ−Ｙ断面を図２（ａ）、（ｂ）にそれぞれ示すように、断面視略方形をもった蛇腹状のものであり、ゴム、ポリエチレン樹脂、ポリプロピレン樹脂等の材料にて、肉厚０．３ｍｍ程度をもって異形押出成形することにより可撓性を実現させている。このダクト４は、同図に示すように、楕円状のケーブル３を挿通させて後さらに屈曲可能なように横方向にスキ間をもった内径寸法を有している。
【００１４】
上記構成による床暖房装置を施工する場合、従来の技術の項にて説明した手順で施工される。まず、床下地の上に複数枚の床暖房マットを並べて敷設し、床暖房を必要としない部分には必要に応じて周辺マット１を敷設する。次いで、コントローラに接続したケーブル３と床暖房マットに設けられた凹部のコネクターとを接続し、床暖房マットの電熱ヒータに給電させる中継用のケーブル３を、図３（ａ）に示すように、ほぼ直線の状態にて可撓性をもったダクト４に挿通させて後、同図（ｂ）に示すように屈曲させる。そして、そのダクト４が周辺マット１に形成された凹溝２へ嵌着されて周辺マット１を経由し電気的に接続するよう配設させるのである。
【００１５】
なお、このとき、ダクト４を周辺マット１に形成された凹溝２収める際に、接着あるいは粘着部材を用いて仮保持させ、上記床暖房マットの凹部の上面をアルミニウム板のような金属製の保護板で閉塞するのと同時に、周辺マット１の凹溝２上をアルミテープで覆った後、木質床材のような表面材を貼るようにし施工することも好ましい。
【００１６】
したがって、以上説明した床暖房装置の施工構造によると、電熱ヒータに給電させる中継用のケーブル３が、可撓性をもったダクト４に挿通されて後、そのダクト４が周辺マット１に形成された凹溝２へ嵌着されて周辺マット１を経由し電気的に接続するよう配設されるので、確実に中継用のケーブル３を周辺マット１に係止することが可能であり、以って、床暖房装置の施工が容易となる。
【００１７】
そして、断面視略方形で可撓性をもった蛇腹状のダクト４に中継用のケーブル３が挿通されて周辺マット１に形成された凹溝へ嵌着される場合、蛇腹状のダクトが凹溝へ馴染み、より確実に中継用のケーブルが周辺マットに係止される。
【図面の簡単な説明】
【００１８】
【図１】本願発明の一実施形態である照明装置の前面カバーを外した状態の正面図。
【図２】同照明装置の外観を示す斜視図。
【図３】同照明装置の概略構成を示す分解斜視図。
【図４】従来例である床暖房装置の施工構造の全体を示す斜視図。
【図５】同床暖房装置の施工構造による床暖房マットを示す概略構成図。
【図６】同床暖房装置の施工構造による床暖房マットの施工手順を示す説明図。
【図７】同床暖房装置の施工構造による周辺マットを示す説明図。
【図８】同床暖房装置の施工構造による床暖房マットを示す概略構成図。
【符号の説明】
【００１９】
１      周辺マット
２      凹溝
３      ケーブル
４      ダクト
【図１】
2005265357.tif 000003
【図２】
2005265357.tif 000004
【図３】
2005265357.tif 000005
【図４】
2005265357.tif 000006
【図５】
2005265357.tif 000007
【図６】
2005265357.tif 000008
【図７】
2005265357.tif 000009
【図８】
2005265357.tif 000010